(57)【要約】【課題】バイアス磁石における中空部への磁気抵抗素子の高精度な組み付けを必要とせずに、高感度でありながら誤検出を抑制する。【解決手段】磁気抵抗素子（３１、４１）と、磁気抵抗素子に対しバイアス磁界を発生するバイアス磁石（１０）と、磁気抵抗素子の抵抗値が変化することにより、被検出対象の運動を検知する制御部（５０、６０）とを備える。バイアス磁石は中空形状であり、磁気抵抗素子はバイアス磁石の中空部（１１）内に設けられている。磁気抵抗素子は、第１の磁気抵抗素子（４１）と、第１の磁気抵抗素子よりも被検出対象側に配置された第２の磁気抵抗素子（３１）とを有している。制御部は、第２の磁気抵抗素子に印加される磁束密度が飽和磁束密度以上である場合には、第２の磁気抵抗素子の使用し、第２の磁気抵抗素子に印加される磁束密度が飽和磁束密度未満である場合には、第１の磁気抵抗素子を使用する。【選択図】図２
2014062831.tif 000002
【特許請求の範囲】
【請求項１】
磁界の変化に応じて抵抗値が変化する磁気抵抗素子（３１、４１）と、
前記磁気抵抗素子に対しバイアス磁界を発生するバイアス磁石（１０）と、
被検出対象（７００）の運動による前記バイアス磁界の変化に応じて、前記磁気抵抗素子の抵抗値が変化することにより、前記被検出対象の運動を検知し、その検知に応じた出力信号を生成する制御部（５０、６０）と、を備える磁気検出装置であって、
前記バイアス磁石は、前記被検出対象に向かって伸びる中空部（１１）が形成された中空形状であり、
前記磁気抵抗素子は、前記バイアス磁石の前記中空部内に設けられており、
前記磁気抵抗素子は、第１の磁気抵抗素子（４１ａ、ｂ、ｃ、ｄ）と第２の磁気抵抗素子（３１ａ、ｂ、ｃ、ｄ）とを有しており、
前記制御部は、前記被検出対象の運動を検知するために使用する素子として、前記第１及び第２の磁気抵抗素子のうちどちらか一方の磁気抵抗素子を選択する素子選択手段（５２、６０）を有しており、
前記選択手段は、前記第２の磁気抵抗素子に印加される磁束密度が飽和磁束密度以上である場合には、前記第２の磁気抵抗素子の使用を選択し、前記第２の磁気抵抗素子に印加される磁束密度が飽和磁束密度未満である場合には、前記第１の磁気抵抗素子の使用を選択することを特徴とする磁気検出装置。
【請求項２】
前記第２の磁気抵抗素子は、前記第１の磁気抵抗素子よりも被検出対象側に配置されていることを特徴とする請求項１に記載の磁気検出装置。
【請求項３】
前記制御部は、前記第２の磁気抵抗素子に印加される磁束の密度が飽和磁束密度以上か否かを検知する磁束密度検知手段（５１）を有していることを特徴とする請求項１または２に記載の磁気検出装置。
【請求項４】
前記磁束密度検知手段は、前記バイアス磁石における前記中空部が伸びる方向とでなす角度が略９０°となるようにパターニングされた第３の磁気抵抗素子（５１ａ、ｂ）であることを特徴とする請求項３に記載の磁気検出装置。
【請求項５】
前記磁束密度検知手段は、前記第２の磁気抵抗素子を用いていることを特徴とする請求項３に記載の磁気検出装置。
【請求項６】
前記第１及び第２の磁気抵抗素子は、前記バイアス磁石における前記中空部が伸びる方向とでなす角度が略４５°となるようにパターニングされていることを特徴とする請求項１ないし５のいずれか一項に記載の磁気検出装置。
【請求項７】
前記磁気抵抗素子は、さらに、第４の磁気抵抗素子（９１ａ、ｂ、ｃ、ｄ）を有しており、
前記第４の磁気抵抗素子は、前記第１の磁気抵抗素子よりも被検出対象から離れて配置されていることを特徴とする請求項１ないし６のいずれか一項に記載の磁気検出装置。
【発明の詳細な説明】
【技術分野】
【０００１】
この発明は、磁界変化によって磁気抵抗素子の抵抗値が変化することを利用して磁気変化を検出する磁気検出装置に関する。
【背景技術】
【０００２】
従来、特許文献１のような磁気センサが知られている。この磁気センサは、バイアス磁石に中空部が被検出対象である歯車形状のロータにおける外周面に向かって伸びるように形成され、その中空部の内部空間内に磁気抵抗素子が配置されている。この磁気抵抗素子は、バイアス磁石の中空部の開口部のうち、被検出対象と対向する開口部側に配置されている。この磁気センサでは、バイアス磁石の中空部の内部空間内において、被検出対象と対向しているバイアス磁石の開口部側に近づけて磁気抵抗素子が配置されることで、磁気センサの磁気検出感度が向上している。この磁気センサは、被検出対象であるロータの回転に伴う、磁気抵抗素子に印加される磁気ベクトルの振れ角の変化を検出することで、ロータの運動を検出するものである。
【先行技術文献】
【特許文献】
【０００３】
【特許文献１】特開平７−３３３２３６号公報
【発明の概要】
【発明が解決しようとする課題】
【０００４】
ここで、特許文献１のような磁気センサは、磁気抵抗素子に磁気抵抗素子の飽和磁束密度以上の磁束密度が印加された状態で使用される。飽和磁束密度とは、磁気抵抗素子において、それ以上の磁束密度が印加されても、印加される磁気ベクトルの大きさの変化に対する感度が飽和する磁束密度である。したがって、この磁気センサでは、磁気抵抗素子に印加される磁気ベクトルの大きさの影響を受けずに、磁気抵抗素子に印加される磁気ベクトルの振れ角の変化によってのみ、磁気抵抗素子の抵抗値の変化が起こる。その結果、磁気抵抗素子に印加される磁気ベクトルの振れ角の変化、つまり、ロータの運動をより精密に検出できるようになっている。
【０００５】
しかし、特許文献１に記載のバイアス磁石では、被検出対象と対向しているバイアス磁石の開口部側に近づくほど磁力が低下しており、磁気抵抗素子の飽和磁束密度以下の領域が存在する。したがって、バイアス磁石の中空部のうち、被検出対象と対向する側のバイアス磁石の開口部側に磁気抵抗素子が配置されると、磁気抵抗素子がその磁気抵抗素子の飽和磁束密度以下の領域に入ってしまうことがある。磁気抵抗素子がその磁気抵抗素子の飽和磁束密度以下の領域に入った場合、磁気抵抗素子の抵抗値の変化が、磁気ベクトルの振れ角の変化によるものなのか、それとも、磁気ベクトルの大きさの変化によるものなのかが分からなくなる。よって、磁気抵抗素子がその磁気抵抗素子の飽和磁束密度未満の領域に入ることにより、磁気センサの出力に誤りが生じる虞がある。
【０００６】
ここで、磁気抵抗素子がその磁気抵抗素子の飽和磁束密度以下の領域に入らないようにするために、磁気抵抗素子を精確にバイアス磁石の中空部における所望の位置に組み付け、さらに、そのバイアス磁石をロータとの位置関係を精確にして組み付ければ、磁気抵抗素子がその磁気抵抗素子の飽和磁束密度以下の領域に入ることを防止することができることも考えられる。しかし、「磁気抵抗素子を精確にバイアス磁石の中空部における所望の位置に組み付けること」や「バイアス磁石をロータとの位置関係を精確にして組み付けること」には、組み付け公差を精確に管理しなければならないことが懸念される。
【０００７】
さらに、バイアス磁石とロータとの組み付けには多数の部品が介在することから、バイアス磁石とロータとの位置関係は多数の部品の位置関係や大きさ等の影響を受けることが多い。よって、「バイアス磁石をロータとの位置関係を精確にして組み付けること」はより一層の組み付け公差の管理が困難となる。したがって、特に、バイアス磁石をロータとの位置関係を精確にして組み付けることは、公差を厳しく管理しなければならない場合が多く、製造のコストが増大する虞がある。
【０００８】
そこで、本発明は上記問題点を鑑み、バイアス磁石における中空部への磁気抵抗素子の高精度な組み付けを必要とせずに、高感度でありながら誤検出が抑制された磁気検出装置を提供することを目的とする。
【課題を解決するための手段】
【０００９】
上記目的を達成するため、請求項１に記載の発明では、磁界の変化に応じて抵抗値が変化する磁気抵抗素子と、磁気抵抗素子に対しバイアス磁界を発生するバイアス磁石と、被検出対象の運動によるバイアス磁界の変化に応じて、磁気抵抗素子の抵抗値が変化することにより、被検出対象の運動を検知し、その検知に応じた出力信号を生成する制御部と、を備える磁気検出装置であって、バイアス磁石は、被検出対象に向かって伸びる中空部が形成された中空形状であり、磁気抵抗素子は、バイアス磁石の中空部内に設けられており、磁気抵抗素子は、第１の磁気抵抗素子と、第１の磁気抵抗素子よりも被検出対象側に配置された第２の磁気抵抗素子とを有しており、制御部は、被検出対象の運動を検知するために使用する素子として、第１及び第２の磁気抵抗素子のうちどちらか一方の磁気抵抗素子を選択する素子選択手段を有しており、選択手段は、第２の磁気抵抗素子に印加される磁束密度が飽和磁束密度以上である場合には、第２の磁気抵抗素子の使用を選択し、第２の磁気抵抗素子に印加される磁束密度が飽和磁束密度未満である場合には、第１の磁気抵抗素子の使用を選択することを特徴とする。
【００１０】
請求項１に記載の発明によれば、第２の磁気抵抗素子に印加される磁束密度が飽和磁束密度未満である場合でも、第２の磁気抵抗素子よりも被検出対象から離れている第１の磁気抵抗素子を用いて、被検出対象の運動を検出することができる。つまり、第２の磁気抵抗素子に印加される磁束密度が飽和磁束密度未満となり、第２の磁気抵抗素子を使用すると被検出対象の運動を誤検出する場合でも、被検出対象の運動を検出することができる。
【００１１】
したがって、本発明によれば、被検出対象の運動の誤検出を抑制できる。
【００１２】
また、本発明によれば、第２の磁気抵抗素子が、磁束密度が飽和磁束密度未満の領域に入ったとしても、第１の磁気抵抗素子を用いて被検出対象の運動を検出できるので、従来のように、第２の磁気抵抗素子が、磁束密度が飽和磁束密度未満の領域に入ることを恐れる必要がない。したがって、本発明によれば、第２の磁気抵抗素子をバイアス磁石の中空部における被検出対象に近い方の端部に近づけて配置することができ、被検出対象の運動の検出感度を向上できる。
【００１３】
また、本発明によれば、従来のように、第２の磁気抵抗素子が、磁束密度が飽和磁束密度未満の領域に入ることを恐れる必要がないので、第１及び第２の磁気抵抗素子をバイアス磁石の中空部へ組み付ける際、及び、そのバイアス磁石を被検出対象と対向するように組み付ける際において、組み付け公差を広い範囲で許容することができ、製造コストが低減できる。
【図面の簡単な説明】
【００１４】
【図１】本発明に係る磁気検出装置と被検出対象のロータとの位置関係を示す模式図である。
【図２】第１実施形態に係る磁気検出装置の断面模式図である。
【図３】第１実施形態に係る磁気検出装置の回路図である。
【図４】（ａ）本発明に係る磁気抵抗素子に磁気ベクトルが印加されている様子を示す模式図である。（ｂ）本発明に係る磁気抵抗素子に印加される磁気ベクトルの入射角とその磁気抵抗素子の抵抗値との関係を示すグラフである。（ｃ）本発明に係る磁気抵抗素子の抵抗値の変化を示すグラフである。
【図５】本発明に係る磁気検出装置のバイアス磁石の中空部における磁束密度不足領域がロータの動きによって変化することを示す模式図である。
【図６】第２実施形態に係る磁気検出装置の回路図である。
【図７】（ａ）第２実施形態に係る磁気検出装置における高感度用磁気検出部及びバックアップ用磁気検出部の出力信号を示した図である。（ｂ）第２実施形態に係る磁気検出装置におけるバックアップ用磁気検出部の出力信号を示した図である。（ｃ）第２実施形態に係る磁気検出装置における高感度用磁気検出部の出力信号を示した図である。
【図８】他の実施形態に係る磁気検出装置の断面図である。
【図９】他の実施形態に係る磁気検出装置のセンサチップを示す断面図である。
【発明を実施するための形態】
【００１５】
（第１実施形態）
図１及び図２に示されているように、本実施形態における磁気検出装置１００はロータ７００の外周面７１０に対向するように配置されている。ロータ７００は被検出対象である。図２において、ロータ７００付近の矢印はロータ７００の回転方向を示す。ロータ７００の外周面７１０には、歯７１１が多数、断続的に形成されている。
【００１６】
磁気検出装置１００は、バイアス磁界を発生するバイアス磁石１０と、バイアス磁界の変化を検出する素子が設けられたセンサチップ２０とを備えている。バイアス磁界は、被検出対象であるロータ７００の回転に伴い変化する。センサチップ２０には、バイアス磁界の変化を検出する高感度用磁気検出部３０及びバックアップ用磁気検出部４０と、高感度用磁気検出部３０に印加される磁束が不足しているか否かを検出する磁束不足検出部５０とが設けられている。さらに、センサチップ２０には、磁束不足検出部５０の出力に応じて、使用する磁気検出部を選択する信号切り替えスイッチ６０と、センサ出力信号を生成するための信号処理を行う信号処理部７０とが設けられている。
【００１７】
バイアス磁石１０は円筒形状をなし、その中央部には、バイアス磁石の伸びる方向に垂直な方向で切ったときの断面が長方形である貫通孔がバイアス磁石１０の長手方向に伸びるように形成され、その貫通孔が中空部１１を形成している。バイアス磁石１０は、バイアス磁石１０の一方の端面１２がＮ極、他方の端面１３がＳ極となるように着磁されており、Ｎ極が着磁された端面１２がロータ７００の外周面７１０と対向するように、かつ、中空部１１の中心軸Ａ上に概ねロータ７００の回転軸が位置するように配置されている。
【００１８】
センサチップ２０は、バイアス磁界の変化を検出する素子、つまり、高感度用磁気検出部３０と、バックアップ用磁気検出部４０と、磁束不足検出部５０と、信号切り替えスイッチ６０と、信号処理部７０とがモールドされたものである。センサチップ２０は、バイアス磁石１０の中空部１１に挿入され、図示しない手段、例えば、樹脂でバイアス磁石に固定されている。
【００１９】
高感度用磁気検出部３０には、複数の磁気抵抗素子３１ａ、ｂ、ｃ、ｄとで構成された高感度用ブリッジ回路３１と、高感度用ブリッジ回路３１の２点の電位の差を増幅して出力する差動増幅回路３２とが設けられている。
【００２０】
複数の磁気抵抗素子３１ａ、ｂ、ｃ、ｄは、それぞれの素子形成面がバイアス磁石１０の端面１３に略垂直となるように配置されている。なお、それぞれの素子形成面はセンサチップの主面である。この複数の磁気抵抗素子３１ａ、ｂ、ｃ、ｄのうち、対となる磁気抵抗素子３１ａ、ｂと、他の対となる磁気抵抗素子３１ｃ、ｄとは、それぞれハの字を形成するように配置されている。すなわち、複数の磁気抵抗素子３１ａ、ｃがそれぞれ中空部１１の中心軸Ａ方向に対して、ロータ７００の回転方向を正として４５°傾けて配置されている。一方、複数の磁気抵抗素子３１ｂ、ｄがそれぞれ中空部１１の中心軸Ａ方向に対して、ロータ７００の回転方向に−４５°傾けて配置されている。この複数の磁気抵抗素子３１ａ、ｂ、ｃ、ｄがなす２つのハの字は、中空部１１の中心軸Ａに対して線対称となるように配置されている。
【００２１】
高感度用ブリッジ回路３１の回路構成については、図３のように、直列に接続された複数の磁気抵抗素子３１ａ、ｂと、直列に接続された複数の磁気抵抗素子３１ｃ、ｄとが並列で接続されている。さらに、所定電圧が印加されることにより、電流が磁気抵抗素子３１ａから磁気抵抗素子３１ｂに、及び、磁気抵抗素子３１ｃから磁気抵抗素子３１ｄに流れるように構成されている。
【００２２】
差動増幅回路３２は、複数の磁気抵抗素子３１ａ、ｂの間の電位と、複数の磁気抵抗素子３１ｃ、ｄの間の電位との差を増幅して、高感度用磁気検出部３０の出力として出力するように構成されている。
【００２３】
一方、バックアップ用磁気検出部４０には、複数の磁気抵抗素子４１ａ、ｂ、ｃ、ｄとで構成されたバックアップ用ブリッジ回路４１と、バックアップ用ブリッジ回路４１の２点の電位の差を増幅して出力する差動増幅回路４２とが設けられている。
【００２４】
バックアップ用ブリッジ回路４１を構成する複数の磁気抵抗素子４１ａ、ｂ、ｃ、ｄは、高感度用ブリッジ回路３１を構成する複数の磁気抵抗素子３１ａ、ｂ、ｃ、ｄに対して、それぞれバイアス磁石１０の中空部１１の中心軸Ａ方向におけるロータ７００から離れる方向にずれて配置されている。つまり、複数の磁気抵抗素子４１ａ、ｂ、ｃ、ｄは、それぞれ対応する複数の磁気抵抗素子３１ａ、ｂ、ｃ、ｄに対して、中心軸Ａ方向に所定距離で離れて配置されている。
【００２５】
この複数の磁気抵抗素子４１ａ、ｂ、ｃ、ｄは、複数の磁気抵抗素子３１ａ、ｂ、ｃ、ｄと同様に、それぞれの素子形成面がバイアス磁石１０の端面１３に略垂直となるように配置されている。対となる磁気抵抗素子４１ａ、ｂと、他の対となる磁気抵抗素子４１ｃ、ｄとはそれぞれハの字を形成するように配置されている。この２つのハの字は、中空部１１の中心軸Ａに対して線対称となるように配置されている。
【００２６】
バックアップ用ブリッジ回路４１の回路構成については、高感度用ブリッジ回路３１と同様に、直列に接続された複数の磁気抵抗素子４１ａ、ｂと、直列に接続された複数の磁気抵抗素子４１ｃ、ｄとが並列で接続されている。さらに、所定電圧が印加されることにより、電流が磁気抵抗素子４１ａから磁気抵抗素子４１ｂに、及び、磁気抵抗素子４１ｃから磁気抵抗素子４１ｄに流れるように構成されている。
【００２７】
差動増幅回路４２は、複数の磁気抵抗素子４１ａ、ｂの間の電位と、複数の磁気抵抗素子４１ｃ、ｄの間の電位との差を増幅して、バックアップ用磁気検出部４０の出力として出力するように設けられている。
【００２８】
磁束不足検出部５０には、複数の磁束不足検出用磁気抵抗素子５１ａ、ｂと、磁束不足検出回路５２とが設けられている。複数の磁束不足検出用磁気抵抗素子５１ａ、ｂは、高感度用ブリッジ回路３１を構成する複数の磁気抵抗素子３１ａ、ｂ、ｃ、ｄに対して、バイアス磁石１０の中空部１１の中心軸Ａ方向における、ロータ７００に近づく方向にずれて配置されている。複数の磁束不足検出用磁気抵抗素子５１ａ、ｂは、バイアス磁石１０の中空部１１の中心軸Ａ方向に対して垂直となり、かつ、中空部１１の中心軸Ａに対して線対称になるように配置されている。
【００２９】
磁束不足検出部５０の回路構成については、複数の磁束不足検出用磁気抵抗素子５１ａ、ｂにはそれぞれ所定電圧が印加され、複数の磁束不足検出用磁気抵抗素子５１ａ、ｂの出力電圧が磁束不足検出回路５２に入力されている。磁束不足検出回路５２は、その入力された電圧に基づき、スイッチ切り替え信号を生成する。
【００３０】
信号切り替えスイッチ６０には、高感度用磁気検出部３０及びバックアップ用磁気検出部４０の出力信号と、磁束不足検出回路５２が生成するスイッチ切り替え信号が入力されている。信号切り替えスイッチ６０は、スイッチ切り替え信号に基づいて、高感度用磁気検出部３０またはバックアップ用磁気検出部４０の出力信号を出力する。
【００３１】
信号切り替えスイッチ６０の出力信号は、信号処理部７０により整形されて、磁気検出装置１００の出力信号として出力される。信号処理部７０の実装例としては、図３に記載されているような、差動増幅回路と抵抗とで構成されるものがある。
【００３２】
次に、本実施形態に係る磁気検出装置１００の作動について述べる。
【００３３】
バイアス磁石１０の中空部１１内におけるバイアス磁界の磁気ベクトルの方向は、中空部１１の中心軸Ａに平行で、被検出対象のロータ７００から離れる方向に向いている。高感度用ブリッジ回路３１を構成する複数の磁気抵抗素子３１ａ、ｂ、ｃ、ｄは、それぞれ、中空部１１の中心軸Ａ方向に対して、ロータ７００の回転方向を正として４５°または−４５°傾けて配置されている。よって、複数の磁気抵抗素子３１ａ、ｂ、ｃ、ｄに印加される磁気ベクトルの入射角度は４５°となる。この複数の磁気抵抗素子３１ａ、ｂ、ｃ、ｄに印加される磁気ベクトルの入射角は、被検出対象のロータ７００の運動により、すなわち、ロータ７００に形成された多数の歯７１１の移動により変化する。
【００３４】
複数の磁気抵抗素子３１ａ、ｂ、ｃ、ｄは、印加される磁気ベクトルの入射角に応じて、その抵抗値が変動する。その抵抗値の変動の仕方について、図４（ａ）及び図４（ｂ）を用いて説明する。
【００３５】
図４（ａ）は、本実施形態に係る磁気抵抗素子３１ａに磁気ベクトルが印加されている様子を示している。ここでは、磁気抵抗素子３１ａを取り上げて説明するが、他の磁気抵抗素子も同様の性質を有する。図４（ａ）において、破線の矢印は磁気抵抗素子３１ａに流れる電流の方向を、実線の矢印は磁気抵抗素子３１ａに印加されている磁気ベクトルの方向を示している。入射角θは電流方向と磁気ベクトルとでなす角を示している。磁気抵抗素子３１ａの抵抗値は入射角θの変化に伴い、図４（ｂ）のように変化する。
【００３６】
複数の磁気抵抗素子３１ａ、ｂ、ｃ、ｄに印加される磁気ベクトルの入射角θの変動は、差動増幅回路３２の出力信号から検出され、その結果、ロータ７００の運動が検出される。また、バックアップ用磁気検出部４０も、高感度用磁気検出部３０と同様の回路構成を有するため、ロータ７００の運動に応じた出力信号を出力する。
【００３７】
ここで、図５は、バイアス磁石１０の端面１２付近にある磁束密度不足領域、つまり、複数の磁気抵抗素子３１ａの飽和磁束密度未満である領域を示している。磁束密度不足領域は破線で囲まれた領域Ａである。この磁束密度不足領域は、ロータ７００の歯７１１の運動に伴い変化する。ロータ７００の歯７１１が端面１２に近づくと、磁束密度不足領域は図５中の実線で囲まれた領域Ｂへ移動する。つまり、ロータ７００の歯７１１が端面１２に近づくと、磁束密度不足領域は中空部１１の内部、つまり、端面１２から他方の端面１３への方向に移動する。その磁束密度不足領域の移動に伴い、磁気抵抗素子３１ａが、その磁束密度不足領域に入った場合、磁気抵抗素子３１ａに印加される磁束密度は飽和磁束密度未満になる。他の磁気抵抗素子に対しても、同様に、磁束密度不足領域があり、その磁束密度不足領域は、ロータ７００の運動により、同様に移動し、その磁気抵抗素子が磁束密度不足領域に入ることがある。
【００３８】
複数の磁気抵抗素子３１ａ、ｂ、ｃ、ｄや他の磁気抵抗素子の抵抗値は、それらに印加される磁気ベクトルが磁気抵抗素子の飽和磁束密度未満である場合には、印加される磁気ベクトルの磁気抵抗素子への入射角θだけでなく、磁気ベクトルの大きさによっても変動する。
【００３９】
図４（ｃ）は、磁気抵抗素子３１ａについて、その性質を示したグラフである。他の磁気抵抗素子も同様の性質を有する。図４（ｃ）において、実線で示す曲線ａは、磁気抵抗素子３１ａに印加される磁気ベクトルが飽和磁束密度以上のときのグラフである。破線で示す曲線ｂは、磁気抵抗素子３１ａに印加される磁気ベクトルが飽和磁束密度未満のある大きさのときのグラフである。一点鎖線で示す曲線ｃは、磁気抵抗素子３１ａに印加される磁気ベクトルが、曲線ｂのときよりもさらに小さいときのグラフである。
【００４０】
図４（ｃ）が示すように、磁気抵抗素子３１ａに印加される磁気ベクトルが飽和磁束密度以上のとき、磁気抵抗素子３１ａの抵抗値は曲線ａのように一様に変化する。しかし、磁気抵抗素子３１ａに印加される磁気ベクトルが飽和磁束密度未満である場合、磁気抵抗素子３１ａの抵抗値の変化を表すグラフの曲線は、磁気ベクトルの大きさが小さくなるにしたがって、曲線の変化が緩くなっていく。
【００４１】
したがって、磁気抵抗素子３１ａに印加される磁気ベクトルが飽和磁束密度未満である場合、磁気抵抗素子３１ａの抵抗値の変化が、入射角θの変化と対応しないときがある。つまり、磁気抵抗素子３１ａの抵抗値が、磁気ベクトルの大きさに影響を受ける場合がある。そのため、入射角θの変化と対応しない磁気抵抗素子３１ａの抵抗値に基づいて、ロータ７００の運動を検出すると、ロータ７００の運動を誤って検出してしまう虞がある。
【００４２】
そのため、本実施形態の磁気検出装置１００では、磁気不足検出部５０が、高感度用磁気検出部３０の複数の磁気抵抗素子３１ａ、ｂ、ｃ、ｄに印加される磁束密度が飽和磁束密度以上か否かを検知する。そして、複数の磁気抵抗素子３１ａ、ｂ、ｃ、ｄに印加される磁束密度が飽和磁束密度以上であると検知した場合には、高感度用磁気検出部３０の出力に基づき、ロータ７００の運動を検出する。一方、複数の磁気抵抗素子３１ａ、ｂ、ｃ、ｄに印加される磁束密度が飽和磁束密度以上でない、つまり、複数の磁気抵抗素子３１ａ、ｂ、ｃ、ｄに印加される磁束密度が飽和磁束密度未満であると検知した際には、バックアップ用磁気検出部４０の出力に基づき、ロータ７００の運動を検出する。
【００４３】
具体的には、磁束不足検出部５０では、ロータ７００の運動に伴うバイアス磁界の変動によって、複数の磁束不足検知用磁気抵抗素子５１ａ、ｂに印加される磁気ベクトルが変化し、複数の磁束不足検知用磁気抵抗素子５１ａ、ｂの抵抗値が変動する。磁束不足検出回路５２は、その複数の磁束不足検知用磁気抵抗素子５１ａ、ｂの抵抗値の変動を検知する。そして、磁束不足検出回路５２は、高感度用磁気検出部３０の複数の磁気抵抗素子３１ａ、ｂ、ｃ、ｄに印加される磁束密度が、その複数の磁気抵抗素子３１ａ、ｂ、ｃ、ｄの飽和磁束密度以上である、つまり、高感度用磁気検出部３０の出力信号を使用する場合か否かを判定し、信号切り替えスイッチ６０にスイッチ切り替え信号を出力する。
【００４４】
ここで、複数の磁束不足検知用磁気抵抗素子５１ａ、ｂは、バイアス磁石１０の中空部１１の中心軸Ａに対して、垂直となるように配置されているので、複数の磁束不足検知用磁気抵抗素子５１ａ、ｂに印加されるバイアス磁界の磁気ベクトルの入射角θは９０°となる。図４（ｂ）に示されているように、複数の磁束不足検知用磁気抵抗素子５１ａ、ｂに印加される磁気ベクトルの入射角θが９０°のとき、複数の磁束不足検知用磁気抵抗素子５１ａ、ｂの抵抗値は、入射角θの変動に対する感度が低い。よって、複数の磁束不足検知用磁気抵抗素子５１ａ、ｂの抵抗値は、印加される磁気ベクトルの入射角θに対する感度が低い、つまり、入射角θの影響を受けない。また、図４（ｃ）のように、複数の磁束不足検知用磁気抵抗素子５１ａ、ｂの抵抗値は、印加される磁束密度が飽和磁束密度以上のときは変動しないが、飽和磁束密度未満のときは磁束密度が低下するに伴いその抵抗値は増加する。
【００４５】
よって、複数の磁束不足検知用磁気抵抗素子５１ａ、ｂの抵抗値は、印加される磁気ベクトルの大きさによってのみ変化する。したがって、複数の磁束不足検知用磁気抵抗素子５１ａ、ｂの抵抗値に基づいて、高感度用磁気検出部３０の複数の磁気抵抗素子３１ａ、ｂ、ｃ、ｄに印加される磁束密度が飽和磁束密度以上か否かを検知する。
【００４６】
また、信号切り替えスイッチ６０は、入力されるスイッチ切り替え信号に基づき、高感度用磁気検出部３０の出力信号またはバックアップ用磁気検出部４０の出力信号を信号処理部７０に出力する。
【００４７】
信号処理部７０は、入力される信号切り替えスイッチ６０の出力信号を信号処理、例えば、出力信号を増幅させる等を行い、磁気検出装置１００の出力として出力する。
【００４８】
次に、本実施形態における磁気検出装置１００の効果について説明する。
【００４９】
ロータ７００の運動に伴い、磁束密度不足領域が中空部１１の内側に移動し、高感度用磁気検出部３０の複数の磁気抵抗素子３１ａ、ｂ、ｃ、ｄが磁束密度不足領域に入った場合には、複数の磁気抵抗素子３１ａ、ｂ、ｃ、ｄに印加される磁束密度が飽和磁束密度未満になる。よって、高感度用磁気検出部３０の出力に基づきロータ７００の運動を検出しようとすると、ロータ７００の運動を誤って検出する虞がある。
【００５０】
しかし、本実施形態の磁気検出装置１００では、高感度用磁気検出部３０の複数の磁気抵抗素子３１ａ、ｂ、ｃ、ｄが磁束密度不足領域に入った場合には、バックアップ用磁気検出部４０を用いる。バックアップ用磁気検出部４０の複数の磁気抵抗素子４１ａ、ｂ、ｃ、ｄは、高感度用磁気検出部３０の複数の磁気抵抗素子３１ａ、ｂ、ｃ、ｄよりも、ロータ７００から離れる方向にずれて配置されている。したがって、本実施形態の磁気検出装置１００によれば、高感度用磁気検出部３０の複数の磁気抵抗素子３１ａ、ｂ、ｃ、ｄが磁束密度不足領域に入った場合でも、バックアップ用磁気検出部４０の複数の磁気抵抗素子４１ａ、ｂ、ｃ、ｄを用いてロータ７００の運動を検出できるので、ロータ７００の運動の誤検出を抑制できる。
【００５１】
また、従来の磁気検出装置１００では、ロータ７００の動きに対する感度向上のため、高感度用磁気検出部３０の複数の磁気抵抗素子３１ａ、ｂ、ｃ、ｄを、バイアス磁石１０の端面１２に近接するように配置することも考えられる。この場合、上記説明のように、バイアス磁石１０の端面１２付近にある磁束密度不足領域に入り、複数の磁気抵抗素子３１ａ、ｂ、ｃ、ｄに印加される磁束密度が飽和磁束密度未満になることが懸念される。よって、複数の磁気抵抗素子３１ａ、ｂ、ｃ、ｄを、バイアス磁石１０の端面１２に近づくように配置することができない。しかし、本実施形態に係る磁気検出装置１００によれば、高感度用磁気検出部３０が使用できない場合でも、バックアップ用磁気検出部４０を用いて、ロータ７００の運動を検出できる。よって、この磁気検出装置１００では、高感度用磁気検出部３０の複数の磁気抵抗素子３１ａ、ｂ、ｃ、ｄを、バイアス磁石１０の端面１２に近接するように配置し、ロータ７００の動きに対する感度を向上することができる。
【００５２】
また、従来のような磁気検出装置１００では、磁気検出部が一つしか設けられておらず、バックアップ用磁気検出部４０が設けられていなかった。このような磁気検出装置１００では、その磁気検出部の磁気抵抗素子が磁束密度不足領域に入らないよう、磁気抵抗素子の組付けを、バイアス磁石１０及びロータ７００に対する位置関係を精確にして行わなければならなかった。具体的には、磁気抵抗素子を精確にバイアス磁石１０の中空部１１における所望の位置に組み付け、さらに、そのバイアス磁石１０をロータ７００との位置関係を精確にして組み付けなければならなかった。
【００５３】
しかし、本実施形態に係る磁気検出装置１００では、高感度用磁気検出部３０のほかに、バックアップ用磁気検出部４０が設けられている。よって、高感度用磁気検出部３０の複数の磁気抵抗素子３１ａ、ｂ、ｃ、ｄが磁束密度不足領域に入ったとしても、バックアップ用磁気検出部４０によりロータ７００の運動の検出が可能である。したがって、この実施形態に係る磁気検出装置１００によれば、従来のように、バイアス磁石１０及びロータ７００に対する位置関係を精確にして、磁気抵抗素子を組み付けることを必要とせずに、ロータ７００の運動を検出できる。つまり、磁気抵抗素子を精確にバイアス磁石１０の中空部１１における所望の位置に組み付け、さらに、そのバイアス磁石１０をロータ７００との位置関係を精確にして組み付けることを必要とせずに、ロータ７００の運動を検出できる。その結果、複数の磁気抵抗素子３１ａ、ｂ、ｃ、ｄ及び４１ａ、ｂ、ｃ、ｄをバイアス磁石１０の中空部１１へ組み付ける際や、そのバイアス磁石１０をロータ７００と対向するように組み付ける際において、許容できる組み付け公差を広くすることができ、製造のコストが低減できる。
【００５４】
また、本実施形態の磁気検出装置１００では、複数の磁束不足検知用磁気抵抗素子５１ａ、ｂは、バイアス磁石１０の中空部１１の中心軸Ａに対して、垂直となるように配置されている。よって、複数の磁束不足検知用磁気抵抗素子５１ａ、ｂに印加されるバイアス磁界の磁気ベクトルの入射角θは９０°となる。図４（ｂ）に示されているように、複数の磁束不足検知用磁気抵抗素子５１ａ、ｂに印加される磁気ベクトルの入射角θが９０°のとき、この複数の磁束不足検知用磁気抵抗素子５１ａ、ｂの抵抗値は、入射角θの変動に対して変化せず、感度が低い。つまり、この複数の磁束不足検知用磁気抵抗素子５１ａ、ｂの抵抗値は、入射角θの影響を受けず、印加される磁気ベクトルの大きさによってのみ変化する。したがって、本実施形態の磁気検出装置１００では、複数の磁束不足検知用磁気抵抗素子５１ａ、ｂの抵抗値に基づいて、高感度用磁気検出部３０の複数の磁気抵抗素子３１ａ、ｂ、ｃ、ｄに印加される磁束密度が飽和磁束密度以上か否かを、入射角θの影響を受けずに、高精度に検知することができる。
【００５５】
また、本実施形態に係る磁気検出装置１００では、複数の磁気抵抗素子３１ａ、ｂ、ｃ、ｄ及び４１ａ、ｂ、ｃ、ｄは、それぞれ、中空部１１の中心軸Ａ方向に対して、ロータ７００の回転方向を正として４５°または−４５°傾けて配置されている。よって、複数の磁気抵抗素子３１ａ、ｂ、ｃ、ｄ及び４１ａ、ｂ、ｃ、ｄに印加されるバイアス磁界の磁気ベクトルの入射角θは４５°周辺となる。ここで図４（ｂ）が示すように、複数の磁気抵抗素子３１ａ、ｂ、ｃ、ｄ及び４１ａ、ｂ、ｃ、ｄは、印加される磁気ベクトルの入射角θが４５°周辺で変化するとき、磁気抵抗素子の抵抗値が大きく変動する、つまり、入射角θに対する感度が高い。したがって、本実施形態に係る磁気検出装置１００によれば、複数の磁気抵抗素子３１ａ、ｂ、ｃ、ｄ及び４１ａ、ｂ、ｃ、ｄに印加されるバイアス磁界の磁気ベクトルの入射角θは４５°周辺となるので、複数の磁気抵抗素子３１ａ、ｂ、ｃ、ｄ及び４１ａ、ｂ、ｃ、ｄの入射角θに対する感度を向上できる。つまり、この磁気検出装置１００によれば、ロータ７００の運動を高精度に検出できる。
【００５６】
（第２実施形態）
第２実施形態に係る磁気検出装置２００を、第１実施形態と異なる部分を中心に説明する。図６のように、第２実施形態の磁気検出装置２００は、第１実施形態と異なり、複数の磁束不足検出用磁気抵抗素子５１ａ、ｂが設けられていない。この磁気検出装置２００では、高感度用磁気検出部３０の複数の磁気抵抗素子３１ａ、ｂ、ｃ、ｄに印加されるバイアス磁界の磁束密度が、その複数の磁気抵抗素子３１ａ、ｂ、ｃ、ｄの飽和磁束密度以上か否かを、高感度用磁気検出部３０及びバックアップ用磁気検出部４０の出力に基づき行う。
【００５７】
図６を用いて作動原理を説明する。ここでは、高感度用磁気検出部３０の複数の磁気抵抗素子３１ａ、ｂ、ｃ、ｄに印加される磁束密度が、飽和磁束密度以上である場合及び飽和磁束密度未満である場合を考える。それぞれの場合における、高感度用磁気検出部３０の出力信号とバックアップ用磁気検出部４０の出力信号とを比較する。
【００５８】
ここで、両磁気検出部３０及び４０の出力信号は、その出力信号が扱われる外部機器において、ある閾値を基準に、Ｈ（Ｈｉｇｈ）またはＬ（Ｌｏｗ）の二値化されて扱われている。
【００５９】
図７（ａ）は、高感度用磁気検出部３０の複数の磁気抵抗素子３１ａ、ｂ、ｃ、ｄに印加されるバイアス磁界の磁束密度が飽和磁束密度以上である場合における、高感度用磁気検出部３０及びバックアップ用磁気検出部４０の出力信号を示している。図７（ａ）において、実線は閾値を、一点鎖線は高感度用磁気検出部３０の出力信号を、二点鎖線はバックアップ用磁気検出部４０の出力信号を示している。両磁気検出部３０及び４０の出力信号における、二値化されたときの挙動は同期している。つまり、高感度用磁気検出部３０の出力がＨのとき、バックアップ用磁気検出部４０の出力もＨとなり、一方、高感度用磁気検出部３０の出力がＬのとき、バックアップ用磁気検出部４０の出力もＬとなっている。
【００６０】
次に、高感度用磁気検出部３０の複数の磁気抵抗素子３１ａ、ｂ、ｃ、ｄに印加されるバイアス磁界の磁束密度が、複数の磁気抵抗素子３１ａ、ｂ、ｃ、ｄの飽和磁束密度未満である場合を説明する。この場合における、バックアップ用磁気検出部４０の出力信号を図７（ｂ）に、高感度用磁気検出部３０の出力信号を図７（ｃ）に示している。図７（ｂ）及び図７（ｃ）においても、図７（ａ）と同様に、実線は閾値を、一点鎖線は高感度用磁気検出部３０の出力信号を、二点鎖線はバックアップ用磁気検出部４０の出力信号を示している。
【００６１】
図７（ｂ）及び図７（ｃ）を比較すると、ロータ７００の歯７１１の近接時において、バックアップ用磁気検出部４０の出力信号はＨであるが、高感度用磁気検出３０の出力信号がＬであるときがある。これは、高感度用磁気検出部３０の複数の磁気抵抗素子３１ａ、ｂ、ｃ、ｄに印加されるバイアス磁界の磁束密度が、複数の磁気抵抗素子３１ａ、ｂ、ｃ、ｄの飽和磁束密度未満となっていることによる。つまり、複数の磁気抵抗素子３１ａ、ｂ、ｃ、ｄにおけるバイアス磁界の磁気ベクトルの入射角θに対する感度が下がったことによる。
【００６２】
そこで、本実施形態の磁気検出装置２００は、バックアップ用磁気検出部４０の出力信号はＨであるが、高感度用磁気検出３０の出力信号がＬである場合を検出する。そして、その場合を検出した際、磁気検出装置２００は、高感度用磁気検出部３０の複数の磁気抵抗素子３１ａ、ｂ、ｃ、ｄに印加されるバイアス磁界の磁束密度が、複数の磁気抵抗素子３１ａ、ｂ、ｃ、ｄの飽和磁束密度未満であると認識する。そして、磁気検出装置２００は、高感度用磁気検出部３０ではなく、バックアップ用磁気検出部４０の出力を使用し、ロータ７００の運動を検出する。
【００６３】
一方、磁気検出装置２００は、バックアップ用磁気検出部４０の出力信号がＨであるが、高感度用磁気検出部３０の出力信号がＬである場合を検出していないときでは、高感度用磁気検出部３０の出力を使用し、ロータ７００の運動を検出する。
【００６４】
本実施形態の磁気検出装置２００によれば、第１実施形態の磁気検出装置１００のように、複数の磁束不足検出用磁気抵抗素子５１ａ、ｂを設けること無く、第１実施形態と同様の効果が得られ、第１実施形態に比べ製造の簡素化やコストダウンが図れる。
【００６５】
（他の実施形態）
第１実施形態では、バックアップ用磁気検出部４０は１つであったが、図８のように、さらに複数の磁気抵抗素子９１ａ、ｂ、ｃ、ｄを備えた第２バックアップ用磁気検出部９０を設けてもよい。複数の磁気抵抗素子９１ａ、ｂ、ｃ、ｄは、バックアップ用磁気検出部４０の複数の磁気抵抗素子４１ａ、ｂ、ｃ、ｄに対して、ロータ７００から離れる側に配置する。これにより、高感度用磁気検出部３０の複数の磁気抵抗素子３１ａ、ｂ、ｃ、ｄ及びバックアップ用磁気検出部４０の複数の磁気抵抗素子４１ａ、ｂ、ｃ、ｄが磁束密度不足領域に入ったとしても、第２バックアップ用磁気検出部９０を用いて、ロータ７００の運動の検知を継続することができる。したがって、ロータ７００の運動の誤検出をさらに抑制できる。
【００６６】
また、第１実施形態では、バックアップ用磁気検出部４０の複数の磁気抵抗素子４１ａ、ｂ、ｃ、ｄを、高感度用磁気検出部３０の複数の磁気抵抗素子３１ａ、ｂ、ｃ、ｄに対して、ロータ７００から離れる方向に配置していたが、他の配置でもよい。例えば、図９のように、２つのハの字状に配置された複数の磁気抵抗素子４１ａ、ｂ及び複数の磁気抵抗素子４１ｃ、ｄを、その２つのハの字が、２つのハの字状に配置された複数の磁気抵抗素子３１ａ、ｂ、ｃ、ｄを挟むように配置してもよい。磁束密度不足領域は、図５のように、中空部１１の中心軸Ａから離れるほど狭くなり、端面１２付近の狭い範囲にしか存在しない。よって、このように複数の磁気抵抗素子４１ａ、ｂ、ｃ、ｄを配置すれば、複数の磁気抵抗素子３１ａ、ｂ、ｃ、ｄが磁束密度不足領域に入ったとしても、複数の磁気抵抗素子４１ａ、ｂ、ｃ、ｄはその領域に入らず、ロータ７００の運動の検知を継続することができる。
【００６７】
また、第１実施形態では、磁気不足検出用磁気抵抗素子５１ａ、ｂを用いていたが、高感度用磁気検出部３０の複数の磁気抵抗素子３１ａ、ｂ、ｃ、ｄに印加される磁束密度が、複数の磁気抵抗素子３１ａ、ｂ、ｃ、ｄの飽和磁束密度以上か否かを検出できるものであれば、他の手段を用いてもよい。例えば、磁界を検出できるセンサであるホールセンサ、ＧＭＲセンサ、ＴＭＲセンサ等を用いてもよい。
【００６８】
第１実施形態では、バイアス磁石１０の形状は円柱形状としていたが、円柱以外の形状、例えば、対向して配置された二枚の長方形の板状の磁石で構成されたバイアス磁石１０でもよい。
【００６９】
また、第１実施形態では、バイアス磁石１０の中空部１１は、バイアス磁石１０が伸びる方向に垂直な方向で切ったときの断面が長方形である貫通孔であったが、他の形状、例えば、その断面が円の貫通孔でもよい。
【符号の説明】
【００７０】
１０・・・バイアス磁石、１１・・・中空部、３１・・・高感度用ブリッジ回路、３１ａ、ｂ、ｃ、ｄ・・・磁気抵抗素子、４１・・・バックアップ用ブリッジ回路、４１ａ、ｂ、ｃ、ｄ・・・磁気抵抗素子、５０・・・磁束不足検出部、５２・・・磁束不足検出回路、７００・・・ロータ。
【図１】
2014062831.tif 000003
【図２】
2014062831.tif 000004
【図３】
2014062831.tif 000005
【図４】
2014062831.tif 000006
【図５】
2014062831.tif 000007
【図６】
2014062831.tif 000008
【図７】
2014062831.tif 000009
【図８】
2014062831.tif 000010
【図９】
2014062831.tif 000011